(57)【要約】【課題】耐破断性に優れた支柱台座が低コストで得られると共に、支柱台座の支柱挿入軸に対する支柱の位置決めを正確且つ容易にでき、支柱と支柱台座との固着作業がはかどる支柱の取付構造を提供すること。【解決手段】支柱挿入軸１９の根元部分１９ａとベース部１８とのなすコーナー部２１の外面の縦断面形状がなだらかなアール形状をした外側アール面Ｒに形成された支柱台座１７を備える。外側アール面Ｒから外方に向かって支柱１の下端部１ｄを載置して位置決めするための位置決め突起２０を突設し、位置決め突起２０の上端を外側アール面Ｒの上端と同じか或いはそれよりも高く設定すると共に、位置決め突起２０の上端よりも上方位置にて支柱１を支柱挿入軸１９に固着した。【選択図】図１
2007092339.tif 000002
【特許請求の範囲】
【請求項１】
土台に固定される支柱台座のベース部から上方に向かって支柱挿入軸が一体に突設され、支柱挿入軸に支柱の下端部が外嵌されて固定される支柱の取付構造において、上記支柱挿入軸の根元部分とベース部とのなすコーナー部の外面は縦断面形状がなだらかなアール形状をした外側アール面となっており、ベース部と支柱挿入軸の根元部分とが外側アール面を介して連続するように一体形成されていると共に、上記外側アール面から外方に向かって支柱の下端部を載置して位置決めするための位置決め突起を突設し、位置決め突起の上端を上記外側アール面の上端と同じか或いはそれよりも高く設定すると共に、位置決め突起の上端よりも上方位置にて支柱挿入軸に支柱を固着してなることを特徴とする支柱の取付構造。
【請求項２】
上記支柱の側面にリップ溝を設け、リップ溝の一部に横桟の端部を挿入して支柱間に横桟を架け渡し、リップ溝の残りの部分を支柱カバーにて覆うと共に、リップ溝に嵌め込まれる支柱カバーの下端部を上記支柱台座の位置決め突起の上端に載置して位置決めしてなることを特徴とする請求項１記載の支柱の取付構造。
【請求項３】
上記支柱台座のベース部を覆うベースカバーを備え、ベースカバーの内縁部を支柱の下端部の外周面に突き当てると共に、該内縁部の下端を上記支柱台座の位置決め突起の上端に載置して位置決めしてなることをことを特徴とする請求項１記載の支柱の取付構造。
【発明の詳細な説明】
【技術分野】
【０００１】
本発明は、支柱の下端部が支柱台座に外嵌されて固着される支柱の取付構造に関するものである。
【背景技術】
【０００２】
従来の支柱の下端部を支持するアルミダイカスト製の支柱台座として、床面に固定されるベース部から上方に向かって筒状の支柱挿入軸を一体に突設したものが特許文献１において開示されている。
【０００３】
従来は、筒状の支柱の下端部を支柱挿入軸に外嵌して、支柱の下端部をベース部の上面に載置して位置決めし、この状態で支柱と支柱挿入軸とをネジ固定するものであるが、従来の支柱台座は、支柱挿入軸の根元部分とベース部とのなすコーナー部の外面は縦断面形状が直角に屈曲しているため、例えば支柱に水平方向の荷重が繰り返して加わると、支柱台座のコーナー部に曲げモーメントが繰り返して作用し、コーナー部のエッジへの応力集中によって、アルミダイカストのひび割れ（クラック）や破壊が発生するおそれがあり、柵の安全性が低下する。このため従来の支柱台座では、耐破断性を改善することがきわめて重要である。
【特許文献１】特開２００２−２９４６３２号公報
【発明の開示】
【発明が解決しようとする課題】
【０００４】
本発明は上記の従来の問題点に鑑みて発明したものであって、耐破断性に優れた支柱台座が低コストで得られると共に、支柱台座の支柱挿入軸に対する支柱の位置決めを正確且つ容易にでき、支柱と支柱台座との固着作業がはかどる支柱の取付構造を提供することを課題とするものである。
【課題を解決するための手段】
【０００５】
前記課題を解決するために本発明は、土台に固定される支柱台座１７のベース部１８から上方に向かって支柱挿入軸１９が一体に突設され、支柱挿入軸１９に支柱１の下端部１ｄが外嵌されて固定される支柱の取付構造において、上記支柱挿入軸１９の根元部分１９ａとベース部１８とのなすコーナー部２１の外面は縦断面形状がなだらかなアール形状をした外側アール面Ｒとなっており、ベース部１８と支柱挿入軸１９の根元部分１９ａとが外側アール面Ｒを介して連続するように一体形成されていると共に、上記外側アール面Ｒから外方に向かって支柱１の下端部１ｄを載置して位置決めするための位置決め突起２０を突設し、位置決め突起２０の上端を上記外側アール面Ｒの上端と同じか或いはそれよりも高く設定すると共に、位置決め突起２０の上端よりも上方位置にて支柱挿入軸１９に支柱１を固着してなることを特徴としている。
【０００６】
このような構成とすることで、支柱台座１７のベース部１８と支柱挿入軸１９の根元部分１９ａとのなすコーナー部２１の外面を縦断面形状がなだらかなアール形状をした外側アール面Ｒに形成したので、従来のような応力が集中するエッジがなくなり、コーナー部２１に応力が集中した場合であっても、変形やひび割れ（クラック）の発生を防止できるようになり、また、支柱挿入軸１９に対する支柱１の挿入量を、外側アール面Ｒではなく、該外側アール面Ｒの外方に突出する位置決め突起２０を利用して規制できるので、支柱挿入軸１９に対する支柱１の位置決めが正確且つ容易となる。
【０００７】
また、上記支柱１の側面１ｂにリップ溝７を設け、リップ溝７の一部に横桟２の端部を挿入して支柱１間に横桟２を架け渡し、リップ溝７の残りの部分を支柱カバー１１にて覆うと共に、リップ溝７に嵌め込まれる支柱カバー１１の下端部を上記支柱台座１７の位置決め突起２０の上端に載置して位置決めしてなることを特徴とするのが好ましく、この場合、支柱１の側面１ｂを化粧するための支柱カバー１１の位置規制を支柱台座１７を利用して行なうことができ、支柱カバー１１の取り付け作業が容易となる。
【０００８】
また、上記支柱台座１７のベース部１８を覆うベースカバー２２を備え、ベースカバー２２の内縁部２２ａを支柱１の下端部１ｄの外周面に突き当てると共に、該内縁部２２ａの下端を上記支柱台座１７の位置決め突起２０の上端に載置して位置決めしてなることを特徴とするのが好ましく、この場合、ベースカバー２２の内縁部２２ａを支柱１の下端部１ｄの外周部に隙間なく突き当てることで、ベースカバー２２によってベース部１８全体を覆い隠すことができると共に、ベース部１８に対するベースカバー２２の位置規制を支柱台座１７を利用して行なうことができ、ベースカバー２２の取り付け作業が容易となる。
【発明の効果】
【０００９】
本発明に係る支柱の取付構造は、支柱台座のベース部と支柱挿入軸の根元部分とのなすコーナー部の外面を縦断面形状がなだらかなアール形状をした外側アール面に形成することで、耐破断性に優れた支柱台座が得られると共に、支柱台座のコーナー部を補強する専用の部材を別途設ける必要がないため、部品数の増加を防止でき、製造コストアップを防止できるものであり、しかも、支柱挿入軸に対する支柱の挿入量を外側アール面から突出させた位置決め突起を利用して規制できるので、支柱を支柱挿入軸に正確且つ容易に位置決めできる結果、支柱と支柱挿入軸との固着作業がはかどり、作業効率が大幅に向上するものである。
【発明を実施するための最良の形態】
【００１０】
以下、本発明を添付図面に示す実施形態に基いて説明する。
【００１１】
図２は、笠木２３を支える２本の支柱１の各下端部を、床面１６に固定された支柱台座１７に上方から外嵌してネジ固定したロフト用の柵の一例を示しており、図３は支柱１の数が３本の幅広のロフト用の柵の一例を示している。なお図中の２は横桟、２３は笠木、２４は遮蔽板である。
【００１２】
支柱１は、図４（ａ）に示すように、平面視で略Ｈ字形に形成されている。本例では、図６に示すように、支柱１の長辺側の両側面に、それぞれ、左右一対のフランジ２５が向き合うように突出していると共に、左右のフランジ２５の先端をさらに内向きに折り曲げてリップ片１２が形成され、これらフランジ２５とリップ片１２とで囲まれた部分がリップ溝７となっている。なお、リップ片１２の外角部１２ａには丸みが付けられ、衣服等の引っ掛かりなどを防止するようにしている。また本例では、支柱カバー１１の係合部１４の係合部１４の外端面１４ｃをフラットに形成したが、他例として図７に示すように、外端面１４ｃを窪み形状に形成してもよい。
【００１３】
支柱台座１７は、図１に示すように、床面１６に固定されるベース部１８から上方に向かって支柱挿入軸１９が一体に突設され、支柱１の下端部１ｄを支柱挿入軸１９に外嵌して固定するものである。支柱挿入軸１９の輪郭は図６に示すように、支柱１の輪郭よりも一回り小さな略長方形状をしている。
【００１４】
支柱台座１７は例えばダイカスト等からなり、四角筒状の支柱挿入軸１９の根元部分１９ａが外曲がり状に屈曲してベース部１８と一体形成されている。ベース部１８は台座取付ボルト２６によって床面１６に固定されている。本発明では、支柱挿入軸１９の根元部分１９ａとベース部１８とのなすコーナー部２１の外面は、縦断面形状が大きななだらかなアール形状をした外側アール面Ｒとなっており、ベース部１８と支柱挿入軸１９の根元部分１９ａとが外側アール面Ｒを介して連続するように一体形成されている。これにより、コーナー部２１の強度向上が図られている。
【００１５】
さらに上記外側アール面Ｒからは、外方に向かって支柱１の下端部１ｄを載置して位置決めするための位置決め突起２０が突設されている。本例の位置決め突起２０は、図５（ａ）に示すように、支柱挿入軸１９を中心として外側アール面Ｒの外方に向けて放射状に突出する複数（本例では６個）のリブ２０ａ，２０ｂからなる。リブ２０ａ，２０ｂの上端は上記外側アール面Ｒの上端と同じか或いはそれよりも高い水平面となっている。また本例のリブ２０ａ，２０ｂは、支柱挿入軸１９の短辺側に設けられる２本の短寸リブ２０ａと、長辺側に設けられる１本の長寸リブ２０ｂとからなる。短寸リブ２０ａの横幅寸法ｄ１は、図６に示すように、支柱１の下端部１ｄを載置できる長さとされ、長寸リブ２０ｂの横幅寸法ｄ２は支柱１の下端部１ｄ、支柱カバー１１の下端部及びベースカバー２２の内縁部２２ａ下端をそれぞれ載置できる長さとされる。本例では２本の短寸リブ２０ａが、支柱１の下端部１ｄの長辺側の２箇所及び後述の支柱カバー１１の下端部の２箇所、更にベースカバー２２の内縁部２２ａ下端の２箇所をそれぞれ支持するものであり、１本の長寸リブ２０ｂが、支柱１の下端部１ｄの短辺側の中央の１箇所を支持するものである。
【００１６】
また、上記支柱挿入軸１９には、図１に示すように、位置決め突起２０の上端よりも上方位置にネジ孔２８が設けられ、支柱１の下端部１ｄを位置決め突起２０に載置した状態で、該ネジ孔２８と支柱１に設けたネジ孔２９とが位置合わせされ、ネジ３０にて支柱１と支柱挿入軸１９とをネジ固定できるようになっている。
【００１７】
次にベースカバー２２を説明する。上記支柱台座１７のベース部１８は平面視で正方形状の輪郭を有するベースカバー２２にて隠蔽されている。ベースカバー２２は、ベース部１８を上方から覆い隠すものであり、本例では図８、図９に示すように、支柱１の両側から突き合わせ可能な半割れ状に形成されている。半割れ状のベースカバー２２は同じ形状をしており、内縁部２２ａが支柱１の下端部１ｄの外面及び支柱カバー１１の下端部の外周面に突き当てられ、外縁部２２ｂが床面１６に載置されるようになっている。
【００１８】
ここで、ベースカバー２２の内縁部２２ａは、図９（ａ）に示すように、支柱カバー１１の外面から支柱１の両端面に跨って突き当てられるコ字状縁３１と、コ字状縁３１の一端側に連なる凸状縁３２（図８、図９（ａ）、（ｂ）、（ｃ））と、コ字状縁３１の他端側に連なる凹状縁３３（図８、図９（ａ））とで構成されている。そして、半割れ状の一対のベースカバー２２を左右逆向きにして支柱１の両側から嵌め合わせた状態で、コ字状縁３１が支柱カバー１１の外面から支柱１の両端面に沿って突き当てられるようになり（図４（ａ）の状態）、且つ、互いに突き合される凸状縁３２と凹状縁３３とが上下に嵌合するようになっている。またベースカバー２２の内縁部２２ａは下方に向かって縦断面Ｌ字形に屈曲しており、内縁部２２ａの一部の下端がベース部１８の上面に載置されると共に、内縁部２２ａの他の一部には位置決め突起２０と対向する位置に切欠部３４（図８）が形成され、この切欠部３４の下端が図１に示すように、位置決め突起２０上に載置されるようになっている。
【００１９】
さらに半割れ状の一対のベースカバー２２の下面には、図９（ｂ）〜（ｈ）に示すように、下方に向かって複数（本例では３本）の位置決めピン３５が突設され、一方、ベース部１８の上面には図５（ａ）に示すように、ピン挿入孔３６が形成され、前記のようにベースカバー２２を支柱１の両側から嵌め合わせた状態で、位置決めピン３５がピン挿入孔３６にそれぞれ嵌まり込むようになり、これにより、各ベースカバー２２がベース部１８に対して位置決め固定された状態となる。なお本例では、ベース部１８の四隅に台座取付ボルト２６が挿通する長孔２７（図５）が形成されている。また、ベース部１８の上面には、図１に示すように、台座取付ボルト２６の頭部２６ａが突出しているため、ベースカバー２２をベース部１８の上面から上方に浮きあがらせることでベースカバー２２と台座取付ボルト２６の頭部２６ａとが干渉しないようにしている。さらにこのようにベースカバー２２をベース部１８の上面から上方に浮きあがらせた状態で、上記位置決めピン３５の先端がピン挿入孔３６に挿入されるように、位置決めピン３５の長さが設定されている。
【００２０】
次に横桟２の取付構造を説明する。支柱１の側面１ｂに設けられるリップ溝７の一部には、図１０又は図１２に示すように、角材からなる横桟２の端部が挿入される。横桟２の端面２ａにはタッピングホール４ｂが形成され、横桟２の軸直角方向Ｎに突出する横桟接続用プレート３の一端部３ａ側に設けたネジ挿入孔３ｄからタッピングホール４ｂにタッピングネジ４ａを螺合することで、横桟接続用プレート３の一端部３ａ側が横桟２の端面２ａに位置決めされた状態でネジ固定される。横桟接続用プレート３は剛性の板材からなり、支柱１のリップ溝７の内側に挿入可能なサイズに形成されている。横桟接続用プレート３の上下幅は横桟２の端面２ａの外径寸法よりも大きく形成され、横桟接続用プレート３の他端部３ｂ側であって且つ横桟２の端面２ａから外れた位置にはネジ孔３ｃが穿設されている。一方、支柱１には、支柱１の軸直角方向Ｍに貫通し且つ支柱１の両側面１ｂにそれぞれ開口する横通し孔１ａが穿設されている。
【００２１】
また本例では、タッピングネジ４ａをタッピングホール４ｂに螺合して横桟接続用プレート３を横桟２の端面２ａに固定した状態で、タッピングネジ４ａの頭部４ｃが横桟接続用プレート３の背後に突出するようになっている。一方、支柱１の側面１ｂに横通し孔１ａから所定距離Ｓ´をあけた位置に小孔１ｃが形成されている。上記所定距離Ｓ´は、図１１に示すように、横桟接続用プレート３のネジ挿入孔３ｄとネジ孔３ｃ間の距離Ｓと略同じ距離とされる。これにより、支柱１の側面１ｂに横桟接続用プレート３を当てた際にタッピングネジ４ａの頭部４ｃが小孔１ｃに嵌り込むことで、横桟接続用プレート３のネジ孔３ｃを支柱１の横通し孔１ａとを位置決めできるようになる。その後、通しネジ５を一方の横桟接続用プレート３のネジ孔３ｃから支柱１の横通し孔１ａを貫通して他方の横桟接続用プレート３のネジ孔３ｃから突出させてナット６で締結することで支柱１に横桟２を連結できるようになっている。
【００２２】
なお、タッピングネジ４ａとして皿ネジを用いて、横桟接続用プレート３の背後にタッピングネジ４ａの頭部４ｃが突出しないようにしてもよく、この場合は支柱１の側面１ｂに位置決めのための小孔１ｃを設ける必要がなく、孔加工を省略できる。
【００２３】
さらに本例では、横桟接続用プレート３の一端部３ａからは、横桟２の端面２ａと直交する側面２ｂに当接する回転防止片１０（図１０〜図１２）が突設されており、回転防止片１０によって横桟２に対する横桟接続用プレート３の回転防止が図られている。なお、横桟接続用プレート３には回転防止片１０を設けたタイプと、設けないタイプ３´（図１２）の２種類がある。
【００２４】
次に、上記リップ溝７を覆う支柱カバー１１を説明する。支柱１のリップ溝７の一部には前記のように横桟２の端部が架け渡され、リップ溝７の残りの部分は支柱カバー１１にて覆われる。支柱カバー１１は横桟２を支柱１に連結するための横桟接続用プレート３、通しネジ５及びナット６を隠蔽して、外観を良くするものである。本例の支柱カバー１１は、図６に示すように、平面視で略コ字状に形成され、リップ片１２，１２間の開口を塞ぐと共にリップ片１２の前面と面一状に配置される前パネル部１３と、前パネル部１３の左右両端から後方にＬ形に折曲された左右一対の係合部１４とを備えている。左右一対の係合部１４は、それぞれ、リップ溝７の底面（支柱１の側面１ｂ）に当たって支柱カバー１１の前後（図６の左右方向）の動きを止めるための第１当接部１４ａと、リップ片１２の背面角部に当たって支柱カバー１１の前後及び左右（図６の上下方向）の動きを止めるための第２当接部１４ｂとを備えている。
【００２５】
ところで、横桟２をリップ溝７の一部に挿入されて連結する場合において、横桟２を動かして位置決めするためにはリップ片１２との間に所定の隙間を確保する必要があり、このため、横桟２の端面には所定の隙間（図１（ｃ）の横桟２の端面ラインＬ２）が生じている。これに対して、支柱カバー１１の前パネル部１３の端面をリップ片１２と隙間なく接触させた場合は、横桟２の端面ラインＬ２が前パネル部１３の部分で途切れてしまい、外観上において違和感が生じ、見栄えが良くない。そこで、本例では、支柱カバー１１は係合部１４に設けた第１当接部１４ａ及び第２当接部１４ｂとにより、リップ溝７に対する支柱カバー１１の前後左右の動きが止められるようになっているので、支柱カバー１１の前パネル部１３の端面をリップ片１２から離して配置可能となり、従って、前パネル部１３の端面にリップ片１２との隙間となる端面ラインＬ１（図１０（ｃ）、図１３（ｂ））を形成できると共に、この端面ラインＬ１をリップ溝７の一部に挿入されて連結されている横桟２の端面ラインＬ２（図１０（ｃ）、図１３（ａ））と略一直線上に形成することができ、見栄えが良くなるものである。さらに支柱カバー１１の下端部は、図１に示すように、支柱台座１７の位置決め突起２０上に載置されることで上下方向に位置決めされている。なお支柱カバー１１には、図６に示すように、前パネル部１３全体がフラットな形状のタイプと、図１０（ｂ）に示すように、前パネル部１３の中央部に後述する遮蔽板２４の端部が挿入される凹溝を設けたタイプのものとがある。
【００２６】
次にロフト用の柵を構築する場合の２つの方法を例に挙げて説明する。第１の方法は、床面１６に支柱台座１７を固定し、支柱１を支柱台座１７の支柱挿入軸１９に外嵌してネジ固定し、その後、横桟２を架設し、支柱カバー１１及び笠木２３を取り付けて、図２或いは図３に示すロフト用の柵を構築する。まず、複数の支柱台座１７を所定間隔をおいて床面１６に固定しておき、複数本の支柱１の下端部１ｄをそれぞれ支柱台座１７の支柱挿入軸１９に嵌め込んでいく。このとき、支柱１の下端部１ｄが支柱挿入軸１９の外方に突出した位置決め突起２０上に載置されて位置決めされた状態となり、支柱１と支柱挿入軸１９とをネジ固定する。その後、支柱１間に横桟２を架設する。このとき、図１０のように支柱１の両側に横桟２を配置する場合は、図１１に示すように、２枚の横桟接続用プレート３を２本の横桟２の端面２ａにそれぞれネジ固定しておく。なお図１２のように支柱１の片側だけに横桟２を配置する場合は、２枚の横桟接続用プレート３の一方のみに横桟２の端面２ａをネジ固定しておく。そして、一方の横桟接続用プレート３を支柱１の一側面１ｂに当て且つ他方の横桟接続用プレート３を支柱１の他側面１ｂに当てた状態で、通しネジ５を一方の横桟接続用プレート３のネジ孔３ｃから支柱１の横通し孔１ａを貫通して他方の横桟接続用プレート３のネジ孔３ｃに通してナット６にて締結する。これにより図１０に示すように、支柱１の両側に横桟２を連結したり、或いは図１２に示すように、支柱１の片側だけに横桟２を連結できるようになる。その後、支柱１の頂部１ｅ間に笠木２３を掛け渡して、図１４に示すように、笠木２３をタッピングネジ８でネジ固定する。ここでは支柱１の頂部１ｅの４隅にタッピングホール９が設けられており、笠木２３の底板部２３ａをタッピングネジ８で固着できるようにしている。
【００２７】
ロフト用の柵を構築する第２の方法は、先ず、支柱１と横桟２とからなる枠体を予め組み立てる。先ず、複数の支柱１を床面１６に倒して並べ、この支柱１間に横桟２を並べた状態で、横桟２に固定した横桟接続用プレート３を支柱１に固定する。支柱１と横桟２との連結は前述と同じ方法で行ない、図１０に示すように、支柱１の両側に横桟２を連結したり、或いは図１２に示すように、支柱１の片側だけに横桟２を連結する。その後、組み立てた枠体を立てて、枠体を構成する複数の支柱１の下端部１ｄをそれぞれ床面１６に固定された支柱台座１７の支柱挿入軸１９に外嵌してネジ固定する。なお、支柱カバー１１及び笠木２３の取り付けは、枠体の組み立てと同時に行なう場合、或いは枠体を支柱台座１７に固定した後に行なう場合のいずれであってもよい。
【００２８】
また上記第１、第２の施工方法のいずれにおいても、ロフト用の柵の下半分に目隠しや防音等の目的で遮蔽板２４（図１０（ｂ））を嵌め込むようにしてもよい。この遮蔽板２４の取り付け方法は、左右の支柱１と上下の横桟２とで構成される枠体の内周面に凹溝を形成しておき、遮蔽板２４の外周縁部を凹溝に嵌め込むようにすればよい。
【００２９】
上記構成によれば、支柱台座１７のベース部１８と支柱挿入軸１９の根元部分１９ａとのなすコーナー部２１の外面を縦断面形状がなだらかなアール形状をした外側アール面Ｒに形成したので、従来のような応力が集中するエッジがなくなり、コーナー部２１に応力が集中した場合であっても、変形やひび割れ（クラック）の発生を防止できるようになり、結果、耐破断性に優れた支柱台座１７が得られる。さらに位置決め突起２０は支柱台座１７と一体化されており、しかも外側アール面Ｒによってコーナー部２１の強度向上が図られるので、コーナー部２１を補強するための専用の補強部材を別途設ける必要がなく、部品数の増加を防止でき、製造コストアップを防止できるものである。
【００３０】
また、支柱１の挿入量を、外側アール面Ｒではなく、外側アール面Ｒから突出する位置決め突起２０を利用して規制するので、支柱挿入軸１９に対する支柱１の位置決めが正確且つ容易となり、支柱１と支柱挿入軸１９のネジ固定作業がはかどり、作業効率が大幅に改善される。
【００３１】
また本例では、支柱１の側面１ｂにリップ溝７を設け、リップ溝７の一部に横桟２の端部を挿入して支柱１間に横桟２を架け渡し、リップ溝７の残りの部分を支柱カバー１１にて覆うと共に、支柱カバー１１の下端部を位置決め突起２０の上端に載置して位置決めしているので、支柱１の側面１ｂを化粧するための支柱カバー１１の位置規制を位置決め突起２０を利用して行なうことができ、リップ溝７に対する支柱カバー１１の取り付け作業が容易になる利点がある。
【００３２】
さらに、支柱台座１７のベース部１８を覆うと共に内縁部２２ａが支柱１の下端部１ｄの外周面に突き当てられるベースカバー２２を備えており、このベースカバー２２の内縁部２２ａ下端を位置決め突起２０の上端に載置して位置決めしたので、ベースカバー２２の内縁部２２ａを支柱１の下端部１ｄの外周部に隙間なく突き当てることで、ベースカバー２２によってベース部１８全体を覆い隠すことができると共に、ベース部１８に対するベースカバー２２の位置規制を位置決め突起２０を利用して行なうことができ、ベース部１８へのベースカバー２２の取り付け作業が容易になる利点もある。
【００３３】
なお前記実施形態では、支柱１と支柱挿入軸１９とをネジ固定した場合を例示したが、勿論、ネジ固定に限らず、リベット等による固着でもよい。
【００３４】
本発明の柵は、住宅内のロフト用柵に限らず、住宅内の踊り場や２階用の柵として使用できる。さらに屋外に設置される外柵にも広く活用できるものである。
【図面の簡単な説明】
【００３５】
【図１】本発明の一実施形態を示し、支柱の下端部が外嵌された状態の支柱挿入軸の断面図である。
【図２】（ａ）の同上のロフト用柵の正面図、（ｂ）は側面図、（ｃ）は（ａ）のＡ―Ａ線断面図、（ｄ）は平面図、（ｅ）は（ａ）のＢ―Ｂ線断面図、（ｆ）は（ａ）のＣ―Ｃ線断面図である。
【図３】同上のロフト用柵の他例の正面図である。
【図４】（ａ）は同上の支柱と支柱台座の取り付け部分を平面から見た断面図、（ｂ）は一部破断した側面図、（ｃ）は正面図である。
【図５】（ａ）は支柱台座の平面図、（ｂ）は（ａ）のＥ―Ｅ線断面図、（ｃ）は（ａ）のＦ―Ｆ線断面図、（ｄ）は（ａ）のＤ―Ｄ線断面図である。
【図６】図４（ａ）の片側半分を平面からみた断面図である。
【図７】図６の変形例を説明する平面断面図である。
【図８】（ａ）（ｂ）は同上のベースカバーの斜視図である。
【図９】（ａ）は同上のベースカバーの底面図、（ｂ）は側面図、（ｃ）は（ａ）のＧ―Ｇ線断面図、（ｄ）は（ａ）のＨ―Ｈ線断面図、（ｅ）は（ａ）のＩ―Ｉ線断面図、（ｆ）は（ａ）のＪ―Ｊから見た矢視図、（ｇ）は側面図、（ｈ）は（ａ）のＫ―Ｋ線断面図である。
【図１０】（ａ）は同上の支柱の両側に横桟を連結した状態の正面断面図、（ｂ）は平面断面図、（ｃ）は同上の横桟の端面ラインと支柱カバーの端面ラインとを略一致させた状態を説明する側面断面図である。
【図１１】同上の支柱の両側に横桟を連結する過程の説明図である。
【図１２】（ａ）は同上の支柱の片側のみに横桟を連結した状態の正面断面図、（ｂ）は平面断面図、（ｃ）は側面断面図である。
【図１３】（ａ）は同上の横桟の端面ラインの説明図、（ｂ）は同上の支柱カバーの端面ラインの説明図である。
【図１４】（ａ）は同上の笠木の取り付け状態の一部破断した正面図、（ｂ）は側面図、（ｃ）は支柱のタッピングホールを説明する平面図である。
【符号の説明】
【００３６】
１  支柱
１ｂ  支柱の側面
１ｄ  支柱の下端部
２  横桟
７  リップ溝
１１  支柱カバー
１７  支柱台座
１８  ベース部
１９  支柱挿入軸
１９ａ  根元部分
２０  位置決め突起
２１  コーナー部
２２  ベースカバー
２２ａ  ベースカバーの内縁部
Ｒ  外側アール面
【図１】
2007092339.tif 000003
【図２】
2007092339.tif 000004
【図３】
2007092339.tif 000005
【図４】
2007092339.tif 000006
【図５】
2007092339.tif 000007
【図６】
2007092339.tif 000008
【図７】
2007092339.tif 000009
【図８】
2007092339.tif 000010
【図９】
2007092339.tif 000011
【図１０】
2007092339.tif 000012
【図１１】
2007092339.tif 000013
【図１２】
2007092339.tif 000014
【図１３】
2007092339.tif 000015
【図１４】
2007092339.tif 000016